(57)【特許請求の範囲】
【請求項１】
紙幣搬出入部と、前記紙幣搬出入部から長手方向に沿って搬入されてきた入金紙幣を上下方向へ積載すると共に、上向きに弾性付勢された昇降自在なバックアッププレートと、前記紙幣搬出入部からの入金紙幣を一時的に保持すると共に前記バックアッププレート上に昇降して該バックアッププレート上の積載紙幣の上面を抑える紙幣保留ユニットと、前記バックアッププレートの上方に配置されると共に前記紙幣保留ユニットに設けた開口内を相対的に昇降し、前記開口を介して前記積載紙幣上面と接して搬出方向へ回転することにより該紙幣を前記紙幣搬出入部へ移行させる繰出しローラと、を備え、
前記紙幣保留ユニットは、
前記開口を介して対向配置された一対の固定保留部材と、
前記入金紙幣を前記各固定保留部材の上方において一時的に保持する紙幣保持姿勢と、保持していた前記入金紙幣を前記各固定保留部材上に落下させる紙幣非保持姿勢との間で変位する可動保留部材と、を備え、
前記紙幣保留ユニットを昇降させる過程で前記可動保留部材を作動させる昇降作動機構を備え、
前記昇降作動機構は、
前記紙幣保留ユニットが入金待機の高さ位置にある時には前記可動保留部材を前記紙幣保持姿勢にし、
前記可動保留部材上の前記入金紙幣を前記固定保留部材上に落下させる際には、前記紙幣保留ユニットを上昇させつつ前記可動保留部材を前記紙幣非保持姿勢に移行させることを特徴とする還流式紙幣収納装置。
【請求項２】
前記可動保留部材は、回転軸によって支持された一対の板状体を有し、
前記一対の板状体は、
前記紙幣保持姿勢にある時には入金されてきた紙幣の幅方向の両端部を支持して前記固定保留部材から離隔させることができる程度の突出長を有し、
前記紙幣非保持姿勢に移行することにより支持していた入金紙幣を前記固定保留部材上に落下させた後では、前記回転軸を中心として回転する過程で前記固定保留部材上の入金紙幣と干渉しない程度の短尺な突出長になることを特徴とする請求項１に記載の環流式紙幣収納装置。
【請求項３】
前記昇降作動機構は、
前記固定保留部材上で保留された状態にある前記入金紙幣を出金する際には、該入金紙幣上面が前記繰出しローラと接するまで前記紙幣保留ユニットを上昇させることを特徴とする請求項１又は２に記載の還流式紙幣収納装置。
【請求項４】
前記昇降作動機構は、
前記固定保留部材上に保留された状態にある前記入金紙幣を前記バックアッププレート上に収納する際には、前記繰出しローラ下部が前記固定保留部材よりも相対的に下方へ位置するように前記紙幣保留ユニットを上昇させることを特徴とする請求項１乃至３のいずれか一項に記載の還流式紙幣収納装置。
【請求項５】
請求項１乃至４の何れか一項に記載の還流式紙幣収納装置を備えたことを特徴とする紙幣取扱装置。
【発明の詳細な説明】
【技術分野】
【０００１】
本発明は、紙幣を収納したり釣銭として払出す入出金機能を備えた還流式紙幣収納装置、及び紙幣取扱装置の改良に関する。
【背景技術】
【０００２】
投入された紙幣を受け入れる入金機能や、入金された紙幣を釣り銭や払出し金として払い出す出金機能を備えた還流式紙幣収納装置は、各種自動販売機、入出金装置、両替機等の紙幣取扱装置に装備されており、この還流式紙幣収納装置としては始業時に準備した紙幣、或いは稼働中に投入された紙幣を金種別に収納しておき、必要に応じて釣銭として払い出すように構成されたものが知られている（特許文献１）。
特許文献１には、紙幣を積載するバックアッププレートと、バックアッププレート上を上下動してバックアッププレート上に移載した紙幣を押さえる二本の押し込み部材と、各押し込み部材上に進入してきた紙幣（入金紙幣）をバックアッププレート側へ移載する紙幣収納ガイド部材と、バックアッププレート上の既積載紙幣束の最上紙幣と接して回転することによりこれを出金方向へ取り出す繰出しローラとの協働によって、紙幣を入金させたり出金させるようにした紙幣還流装置が開示されている。
バックアッププレート上に入金紙幣を送り込む手段として上側のフリクションローラと下側のストップローラとから成る分離ローラ対が用いられる。下側のストップローラの回転軸には弾性材料（ゴム）から成る薄板状の羽根を中心部から放射状に突出させたスイーパが固定されている。スイーパの羽根は、フリクションローラ、及びストップローラと干渉しない軸方向両端部等に配置されており、羽根先端部によって紙幣収納部内の紙幣後端部の浮き上がりを押さえ込むように構成されている。
【０００３】
しかし、スイーパをストップローラの回転軸に設けたことによって種々の不具合が発生している。
即ち、図１１はスイーパを備えた従来の紙幣還流装置の構成を説明する略図である。
紙幣還流装置２００は、紙幣収納部２０１と、紙幣収納部２０１の紙幣搬出入部２０２に配置した分離ローラ対（上側のフリクションローラ２３１、下側のストップローラ２３２）２３０と、バックアッププレート２０３上の紙幣上面に接して出金方向へ回転することにより最上部の紙幣を出金する繰出しローラ２３５と、紙幣収納部２０１と搬送経路Ａとの間で紙幣を双方向へ移動させる正逆転可能な搬送ローラ群２５０と、分離ローラ対２３０、繰出しローラ２３５、及び搬送ローラ群２５０を駆動するモータ、ギヤ群等の駆動機構２６０と、通紙センサ２６５と、図示しない制御手段と、を備える。
【０００４】
紙幣収納部２０１は、上面に紙幣Ｐを積載し、且つ上下動可能なバックアッププレート２０３と、入金されてきた入金紙幣Ｐ１をバックアッププレート２０３上に押し込むために上下動可能であり、且つ紙幣通過用の開口を有した押し込み部材２１０と、バックアッププレート２０３の上方に位置し押し込み部材２１０の上下動に際して紙幣通過用の開口内を相対的に進退すると共に紙幣の搬送をガイドする紙幣収納ガイド部材２２０と、バックアッププレートを上昇方向へ付勢する弾性部材２２５と、を備える。
下側のストップローラ２３２の回転軸には弾性材料（ゴム）から成る薄板状の羽根２５３ａを中心部から放射状に突出させたスイーパ２５３が固定されている。スイーパの羽根は、フリクションローラ２３１、及びストップローラ２３２と干渉しない軸方向両端部等に配置されており、羽根先端部によって紙幣収納部内の紙幣後端部の浮き上がりを押さえ込むように構成されている。
【０００５】
図１１に示した入金待機ポジションでは、押し込み部材２１０が下降してバックアッププレート２０３上の紙幣束Ｐの最上面に接してこれを押し下げることにより、押し込み部材上に入金紙幣Ｐ１の収容空間を形成する。この状態で繰出しローラ２３５とフリクションローラ２３１を矢印で示した入金方向へ回転させることにより上記収容空間内に入金紙幣Ｐ１を収容する。続いて押し込み部材２１０だけを上昇させることにより、入金紙幣Ｐ１は押し込み部材に設けた紙幣通過用の開口内を相対的に通過してバックアッププレート上に積載した紙幣束Ｐ上に移載される。
押し込み部材上に新たに入金されてくる紙幣の先端が既積載紙幣の後端と衝突することを防止するためにスイーパ２５３が先行紙幣の後端を下向きに叩いて押え込むことにより次紙幣の進入路を確保する。
【０００６】
また、折れ癖や、腰の弱くなった紙幣であっても押し込み部材上に直線的な経路を経て放出することができるように、複数個のストップローラ２３２の軸方向中間位置にストップローラよりも大径の図示しない腰付けローラを並列配置して紙幣幅方向中央部を下向きに湾曲させつつ搬送することが行われている。
図１１に示した入金待機ポジションから図示しない出金時ポジションに移行させる場合には、押し込み部材２１０を入金待機ポジションよりも更に上昇位置に移動させることによりバックアッププレート上の紙幣束Ｐの最上面を繰出しローラ２３５と接触させる。この状態で繰出しローラ２３５及びフリクションローラ２３１を矢印とは逆方向の繰出し方向へ回転させることにより最上部の紙幣が紙幣収納部２０１から外部に繰り出される。
【０００７】
次に、図１２（ａ）乃至（ｄ）はストップローラと同軸状にスイーパを設けた従来装置の問題点を示している。
図１２（ａ）に示すように、新たに放出されてきた入金紙幣Ｐ２の先端が収納庫終端に衝突して挫屈して収縮すると、入金紙幣後端がスイーパの羽根２５３ａの届く範囲を逸脱して入金紙幣の後端を叩くことができずに後続紙幣との衝突リスクが発生する。
図１２（ｂ）に示すように、羽根の一つが入金された直後の紙幣Ｐ１の後端を叩いたとしても、後続紙幣Ｐ２が分離ローラ対を通過する際に図示のように後続紙幣が羽根を折り曲げて羽根の回転を邪魔して叩き効果を発揮させずに入金紙幣の後端を浮き上がらせて後続紙幣との衝突リスクを発生させる。
図１２（ｃ）に示すように、押し込み部材２１０上に積載された入金紙幣Ｐ１の後端を羽根２５３ａが叩き続けることにより積載紙幣の後端部と羽根の接触箇所との間で摩擦力が発生し、最上部の入金紙幣後端を収納庫内壁２４０との隙間Ｓに引き込んでしまい、収納不良が発生する。
また、図１２（ｄ）に示すようにストップローラ２３２に並列配置されたスイーパの羽根２５３ａは出金搬送時になびいて変形し、出金紙幣のスムーズな分離、搬送の抵抗となる。紙幣の分離は、各ローラの摩擦力の差によってなされるが、羽根と出金紙幣との間に摩擦力が発生するのは好ましくない。
【先行技術文献】
【特許文献】
【０００８】
【特許文献１】特開２０１３−２０６３４４公報
【発明の概要】
【発明が解決しようとする課題】
【０００９】
このように従来の還流式紙幣収納装置にあっては、分離ローラ対を構成する下側のストップローラと同軸状（同心状）、且つ並列にスイーパを配置していたことに起因した不具合、或いはスイーパによって解決できない不具合があった。
本発明は上記に鑑みてなされたものであり、紙幣搬出入部に設けた分離ローラ対によって紙幣収納部内に紙幣を搬出入するように構成した還流式紙幣収納装置において、分離ローラ対を構成する下側のストップローラと同軸状（同心状）、且つ並列にスイーパを配置していたことに起因した不具合をなくし、更に従来のスイーパによって解決できなかった不具合を解決することを目的としている。
また、従来入金紙幣をバックアッププレート上に押し込んで収納するために使用していた紙幣収納ガイド部材２２０を廃止して構成のシンプル化と低コスト化を実現することができる。なお、紙幣収納ガイド部材を併用してもよい。
【課題を解決するための手段】
【００１０】
上記目的を達成するため、本発明に係る還流式紙幣収納装置は、紙幣搬出入部と、前記紙幣搬出入部から長手方向に沿って搬入されてきた入金紙幣を上下方向へ積載すると共に、上向きに弾性付勢された昇降自在なバックアッププレートと、前記紙幣搬出入部からの入金紙幣を一時的に保持すると共に前記バックアッププレート上に昇降して該バックアッププレート上の積載紙幣の上面を抑える紙幣保留ユニットと、前記バックアッププレートの上方に配置されると共に前記紙幣保留ユニットに設けた開口内を相対的に昇降し、前記開口を介して前記積載紙幣上面と接して搬出方向へ回転することにより該紙幣を前記紙幣搬出入部へ移行させる繰出しローラと、を備え、前記紙幣保留ユニットは、前記開口を介して対向配置された一対の固定保留部材と、前記入金紙幣を前記各固定保留部材の上方において一時的に保持する紙幣保持姿勢と、保持していた前記入金紙幣を前記各固定保留部材上に落下させる紙幣非保持姿勢との間で変位する可動保留部材と、を備えていることを特徴とする。
【発明の効果】
【００１１】
本発明によれば、入金紙幣同士の衝突を防止する目的で使用していたスイーパを廃止することができる。
【図面の簡単な説明】
【００１２】
【図１】本発明の一実施形態に係わる還流式紙幣収納装置の基本構成を説明するための略図である。
【図２】図１の矢視Ｘ−Ｘ図である。
【図３】紙幣保留ユニットが入金待機ポジションにある状態を示す図である。
【図４】固定保留部材上への紙幣の移行過程を示す図である。
【図５】固定保留部材上への紙幣の移行完了状態を示す図である。
【図６】紙幣保留ユニットの下降途中の状態を示す説明図である。
【図７】紙幣保留ユニットが入金待機ポジションに復帰した状態を示す図である。
【図８】固定保留部材上に保留された入金紙幣をバックアッププレート上に移載する収納動作を示した図である。
【図９】固定保留部材上に保留された入金紙幣をバックアッププレート上に移載する収納動作を示した図である。
【図１０】出金ポジションを示す説明図である。
【図１１】スイーパを備えた従来の紙幣還流装置の構成を説明する略図である。
【図１２】（ａ）乃至（ｄ）はストップローラと同軸状にスイーパを設けた従来装置の問題点を示した図である。
【発明を実施するための形態】
【００１３】
以下、図示した実施の形態例に基づいて本発明を詳細に説明する。
＜基本的構成、及び特徴的構成＞
図１は本発明の一実施形態に係わる還流式紙幣収納装置の基本構成を説明するための正面略図であり、図２はその矢視Ｘ−Ｘ図である。
なお、本明細書において入金方向前方とは図１における左方向であり、入金方向後方とは同図における右方向である。
【００１４】
還流式紙幣収納装置１は、投入された紙幣を受け入れる入金機能や、収納されている紙幣を釣り銭や払出し金として払い出す出金機能を備えており、各種自動販売機、入出金装置、両替機等の紙幣取扱装置に装備される。
還流式紙幣収納装置１は、紙幣取扱装置に設けた図示しない紙幣入金部から投入された紙幣を収納方向と出金方向の双方向へ搬送可能な搬送経路Ａと連通し、搬送経路Ａを搬送されてきた紙幣を収納（入金）したり該搬送経路へ繰出す（出金する）手段である。本実施形態では、紙幣は、長手方向一端縁を先頭として長手方向に沿って搬送されるものとして説明する。
還流式紙幣収納装置１は、紙幣取扱装置本体側に設けた搬送経路Ａから搬送されてきた紙幣を上下方向へ積層した状態で収納する紙幣収納部２と、紙幣収納部２と搬送経路Ａとの間で紙幣を入金方向、及び出金方向へ双方向移動させる給紙ローラ群５０（５０Ａ、５０Ｂ）と、給紙ローラ群５０、その他の可動部を駆動するモータ、ギヤ群等の図示しない駆動機構と、駆動機構を制御する制御手段（ＣＰＵ、ＲＯＭ、ＲＡＭ）１００と、を備える。
【００１５】
更に具体的には、還流式紙幣収納装置１は、紙幣搬出入部２ａを備えた紙幣収納部２と、紙幣搬出入部から紙幣収納部内に長手方向に沿って搬送されてきた入金紙幣を上下方向へ積載すると共に、上向きに弾性付勢された昇降自在なバックアッププレート３と、紙幣搬出入部からの入金紙幣を一時的に保持すると共にバックアッププレート上に昇降してバックアッププレート上の積載紙幣の上面を抑える紙幣保留ユニット１０と、バックアッププレートの上方に配置され、紙幣保留ユニット１０に設けた開口１１を介して積載紙幣上面と接して出金方向へ回転することにより積載紙幣Ｐ１を紙幣搬出入部２ａへ移行させる繰出しローラ５１と、紙幣搬出入部に配置されて正逆回転する上下一対の分離ローラ５２と、分離ローラ対５２の入金方向上流側であって該分離ローラ対（のニップ部）との間に紙幣の長手方向長よりも短い間隔を隔てて配置された上下一対の搬送ローラ６０と、紙幣保留ユニットを昇降させる過程で作動させる昇降作動機構３０と、を備えている。
【００１６】
紙幣収納部２は紙幣を収納する領域であり、紙幣収納部内と紙幣収納部外との境界には搬送経路Ａ上の紙幣を紙幣収納部内に搬入したり、紙幣収納部内の紙幣を搬送経路に搬出する紙幣搬出入部２ａを備える。
紙幣収納部２には、上面に入金してきた紙幣を積載し、且つ上下動可能なバックアッププレート３と、バックアッププレートを上方に付勢する弾性部材４と、バックアッププレート上において一体的に上下動可能であり、且つ紙幣通過用の開口１１を備えた紙幣保留ユニット１０と、紙幣保留ユニットを昇降作動させる昇降作動機構３０が配置されている。
【００１７】
紙幣保留ユニット１０は、開口１１を介して水平方向に対向配置された一対の固定保留部材１３と、入金紙幣を各固定保留部材１３の上方において一時的に保持する紙幣保持姿勢（図２）と、保持していた入金紙幣を各固定保留部材上に落下させる紙幣非保持姿勢（図５）との間で変位する可動保留部材２０と、を備えている。
各固定保留部材１３は図２に示したようにＬ字型をなしており、紙幣を上面にて支持する細幅帯状の板体である底片１３ａと、底片の外側端縁から立ち上がった細幅帯状の板体である側片１３ｂと、を備えている。
側片１３ｂの上端縁には回転軸１４が設けられ、回転軸１４によって細幅帯状の板状体である可動保留部材２０の一端縁（基端縁）が３６０度回動自在に支持されている。各可動保留部材２０は、紙幣保持姿勢にある時には入金されてきた紙幣の幅方向両端部を支持して固定保留部材１３から離隔させることができる程度の突出長を有する。一方、紙幣非保持姿勢に移行することにより支持していた入金紙幣を固定保留部材上に落下させた後では、回転軸を中心として回転する過程で固定保留部材上の入金紙幣と干渉しない程度に短尺に構成されている。また、各可動保留部材２０が紙幣保持姿勢にある時に各可動保持部材間に形成される開口１１の寸法は、開口内を相対的に上下動する繰出しローラ５１と干渉しないように構成されている。
【００１８】
紙幣保留ユニット１０は、昇降作動機構３０によって全体的に昇降駆動される一方で、昇降する過程で可動保留部材２０が回転軸を中心として正逆回転して紙幣保持姿勢と紙幣非保持姿勢との間で姿勢を変化させる。
紙幣保留ユニット１０は、入金待機ポジションでは入金されてくる入金紙幣を保持する一方で、バックアッププレート上に相対的に下降した時には積載紙幣上面に圧接してこれを押さえる手段である。固定保留部材１３の底片１３ａを下面が平坦な細幅帯状の板部材から構成し、これらを所定の間隔（開口１１）を隔てて並行に対向配置させている。
【００１９】
昇降作動機構３０は、紙幣保留ユニット１０が入金待機ポジションにある時には可動保留部材２０を紙幣保持姿勢に維持しておき、可動保留部材２０上に入金紙幣を保留できるようにする。その後、紙幣保留ユニットを所定距離上昇させることにより可動保留部材２０を下方へ回動させて紙幣非保持姿勢に移行させる。この動作により可動保持部材上に保持した入金紙幣を一対の固定保留部材１３上に落下させて移行させる。
昇降作動機構３０は、紙幣保留ユニット１０の左右両側方に固定配置された上下方向へ伸びるラックギヤ３１と、固定保留部材１３に設けた軸支部によって回転自在に軸支されてラックギヤ３１と常時噛合するピニオンギヤ３３と、各回転軸１４に軸芯を固定されることにより可動保留部材２０と一体回転すると共に各ピニオンギヤ３３と常時噛合する従動ギヤ３５と、を備えている。
一方のピニオンギヤ３３を適宜のタイミングで図示しないモータによって正逆回転させることにより紙幣保留ユニット１０を全体として昇降させると共に、可動保留部材２０を正逆回転させることができる。
【００２０】
給紙ローラ群５０は、紙幣収納部２内に配置された正逆回転可能な繰出しローラ５１と、紙幣搬出入部２ａ（或いはその近傍）に配置された上下一対の分離ローラ（フリクションローラ５３、ストップローラ５４）５２と、分離ローラ対の上流側であって該分離ローラ対（のニップ部）との間に最短紙幣の長手方向長よりも短い導出入経路Ａ１を隔てて配置された上下一対の搬送ローラ対（上搬送ローラ６１、下搬送ローラ６２）６０と、を備える。
分離ローラ対５２と搬送ローラ対６０との間には、入金紙幣、或いは出金紙幣の通過を検知する通紙センサＳが配置されており、通紙センサＳからの検知信号に基づいて制御手段１００が所定のタイミングで給紙ローラ群５０、バックアッププレート３、紙幣保留ユニット１０等を駆動する。
【００２１】
第１給紙ローラ群５０Ａは、バックアッププレート３が図１０の出金ポジションに上昇している時に開口１１を介してバックアッププレート３上の積載紙幣Ｐ上面に接して出金方向へ回転することにより最上部の紙幣を出金する正逆転可能な繰出しローラ５１と、分離ローラ対５２と、を備える。分離ローラ対５２は、正逆回転する上側のフリクションローラ（上側搬送ローラ）５３と、下側のストップローラ（重送防止ローラ）５４、とを備える。ストップローラ５４は、紙幣の繰出し時には停止しているか、或いは戻し方向に低速で回転している。
フリクションローラ（上側搬送ローラ）５３とストップローラ（重送防止ローラ）５４は夫々の回転軸を、例えば図示しない側板、或いは天板等に設けた軸受部により軸支され、モータ第１モータＭ１からの駆動力によって回転駆動される。
【００２２】
繰出しローラ５１は、上下動するブラケット５５（図１）によって回転自在且つ上下動自在に軸支されており、バックアッププレート３が出金ポジションに上昇している時にバックアッププレート上の紙幣上面の適所と接することができるように構成されている。
繰出しローラ５１は、第１モータＭ１からの駆動力をブラケット５５等によって支持された図示しないプーリやタイミングベルト等を介して伝達することにより回転駆動される。
なお、上記実施形態では、昇降作動機構３０としてラックギヤ、ピニオンギヤ、従動ギヤから成る構成を示したが、これは一例に過ぎない。昇降作動機構は、モータとプーリとベルトから構成したり、ソレノイドを用いる等の種々の構成を想定できる。
【００２３】
＜入金動作＞
制御手段１００は、昇降作動機構３０を駆動することにより一方のピニオンギヤ３３を回転させて、紙幣保留ユニット１０を最下降位置に保持した入金待機ポジション（図３）と、入金待機ポジションよりも上方のエスクロ出金ポジション（図１０）と、エスクロ出金ポジションよりも更に上方の図示しない最上点ポジション（図９）との間で昇降させ、且つ各ポジションにて停止させることにより、紙幣の入金（収納）、及び収納されていた紙幣の出金を夫々行う。
図３は紙幣保留ユニットが入金待機ポジションにある状態を示す図であり、図４は固定保留部材上への紙幣の移行過程を示す図であり、図５は固定保留部材上への紙幣の移行完了状態を示す図であり、図６は紙幣保留ユニットの下降途中の状態を示す説明図であり、図７は紙幣保留ユニットが入金待機ポジションに復帰した状態を示す図である。
【００２４】
図３に示した入金待機ポジションでは、紙幣保留ユニット１０が下降して固定保留部材１３の底片１３ａがバックアッププレート３上の紙幣束Ｐの最上面に接してこれを押し下げることにより、紙幣保持姿勢にある各可動保留部材２０上に入金紙幣Ｐ１の収容空間を形成する。この状態でフリクションローラ５３とストップローラ５４とを入金方向へ回転させることにより可動保留部材２０上に一枚の入金紙幣Ｐ１を収容する。
次いで、可動保留部材２０上の入金紙幣を固定保留部材１３上に落下させるために、図４に示すようにピニオンギヤ３３を上昇方向に所定角度回転駆動して紙幣保留ユニット１０を図５の一時収納ポジションまで上昇させる。この上昇過程で各ピニオンギヤ３３と噛合する各従動ギヤ３５は可動保留部材２０を保持した入金紙幣Ｐ１を落下させる退避方向へ回動し、可動保留部材が図５のように垂下した姿勢となった時点では入金紙幣の固定保留部材上への落下が完了している。
【００２５】
次いで、図６に示すようにピニオンギヤ３３を下降方向へ回転開始させることにより紙幣保留ユニットを図７の入金待機ポジションに復帰させることができる。
この下降中に各ピニオンギヤ３３と噛合する各従動ギヤ３５は可動保留部材を上昇させる方向へ回転し、図７に示した入金待機ポジションでは可動保留部材は水平な姿勢となる。
この入金紙幣の保留動作を入金紙幣一枚毎に繰り返すことにより先行紙幣と後続紙幣との衝突、干渉を防止しつつ、固定保留部材１３上に保留紙幣としての入金紙幣を一枚ずつ順次積載することが可能となる。入金紙幣を固定保留部材上で保留状態とすることにより、返金のために繰出す作業を迅速化することができる。
【００２６】
＜入金紙幣の収納動作＞
図８、図９は固定保留部材上に保留された入金紙幣をバックアッププレート上に移載する収納動作を示している。
ピニオンギヤ３３を駆動して紙幣保留ユニット１０を図７に示した入金待機ポジションよりも所定距離上昇させるとバックアッププレート３が弾性部材４の付勢力によって上昇し、図８に示すように開口１１を介して固定保留部材上の入金紙幣Ｐ１の上面に繰出しローラ５１が圧接した状態となる。
【００２７】
図９は図８の状態よりも更に紙幣保留ユニット１０を上昇させることにより、繰出しローラ５１がバックアッププレート上に入金紙幣Ｐ１を移載完了した状態（入金紙幣の収納完了状態）を示している。即ち、図８の状態では入金紙幣Ｐ１の幅方向中央部だけがバックアッププレート３上の積載紙幣Ｐ上に接触しており、幅方向両端部は左右の固定保留部材の底片１３ａの上方に位置しており、抜けきっていない。これに対して図９のように入金紙幣Ｐ１の幅方向両端部が両固定保留部材の側片１３ｂから完全離脱する程度に紙幣保留ユニット１０を上昇させることにより、入金紙幣Ｐ１を完全にバックアッププレート上の積載紙幣Ｐ上に移載することができる。
紙幣保留ユニット１０が、幅方向中央部をバックアッププレート上に圧接された状態にある入金紙幣Ｐ１の両端部を越えるために図９のように上昇してから、再び下降することにより入金紙幣の両端部上面を既積載紙幣Ｐ上に押さえ込む。
この収納動作では、可動保留部材２０は入金紙幣と干渉しない位置において回転するだけであり、収納動作には関与しない。
【００２８】
＜出金動作＞
既に収納された紙幣を（お釣りとして）出金する場合は、最上位ポジション（図９）まで昇降作動機構３０を駆動させる。
このポジションにおいて繰出しローラ５１を繰出し方向へ回転駆動させることにより、バックアッププレート３上の収納紙幣を分離ローラ対に向けて一枚ずつ出金させることができる。
バックアッププレート３上の積載紙幣枚数が減少するのに応じて弾性部材４によってバックアッププレートが押し上げられ分離圧力を調整する。この状態で繰出しローラ５１及びフリクションローラ５３を繰出し方向へ回転させることにより最上部の紙幣が紙幣収納部２から外部に繰り出される。この際、重送防止手段としてのストップローラ５４は回転を停止するか、或いは戻し方向へ回転することにより、重送されてきた二枚の紙幣のうちの下側紙幣を紙幣収納部２側に戻す。分離ローラ対により分離された出金紙幣はスムーズに搬送ローラ対６０に受け渡される。
【００２９】
また、ストップローラ５４の回転軸上にスイーパが存在しないので、スムーズな分離が可能となる。
更に、ストップローラ５４には大径のスイーパが並列配置されていないため、出金時にバックアッププレート上の紙幣束から紙幣を一枚ずつ分離する際に弾性羽根と紙幣との間に摩擦力が悪影響を及ぼすことがない。従って、安定した分離、搬送が可能となる。
【００３０】
＜エスクロ返却動作＞
エスクロ返却動作は、収納前の現物返却（お客が入金した紙幣の現物を、取り消し命令などにより現物のまま返却する）動作であり、固定保留部材１３によって取引中の現物紙幣と、既に収納された紙幣とを切り分けることができる。
図１０はエスクロ出金ポジションを示している。エスクロ出金ポジションでは、図７に示した入金待機ポジションで固定保留部材の底片１３ａ上に入金された紙幣Ｐ１が存在する状況で、取り消し命令などにより入金紙幣Ｐ１をお客に返却する場合、紙幣保留ユニット１０を上昇させて、繰出しローラ５１の最下部（積載紙幣上面との接触位置）よりも若干上方に位置させる。この時に、固定保留部材の底片１３ａ上の入金紙幣Ｐ１の最上面の紙幣が適切な圧力で繰出しローラ５１と接するように弾性部材４の付勢力が設定されている。
この状態で繰出しローラ５１を繰出し方向へ回転駆動させることにより、底片１３ａ上の保留紙幣を分離ローラ対に向けて一枚ずつ出金させることができる。
【００３１】
＜特徴的な作用、効果＞
本発明では、分離ローラ対を構成する一方の分離ローラに同軸状にスイーパを設けない一方で、紙幣保留ユニット１０を下段側の固定保留部材１３と上段側の可動保留部材２０とからなる二段構造とした。入金時には入金紙幣は紙幣保持姿勢にある可動保留部材２０上に一旦保持されてから固定保留部材１３上に落下して保留される。このため、スイーパを設けなくても入金紙幣同志の衝突が防止される。例えば、先行入金紙幣が奧壁に衝突して挫屈したとしても、後続紙幣が入金する際にはこの先行入金紙幣は固定保留部材１３上に移載されているので、衝突を回避できる。つまり、図１２（ａ）に示した不具合を解消できる。
また、図１２（ｂ）に示した後続入金紙幣の搬送中にスイーパによる紙幣後端叩き効果が薄れるという問題も解消される。
また、スイーパを設けたことに起因して従来発生していた入金紙幣後部の引込み（図１２（ｃ））や、出金時にスイーパの羽根が搬送に対する抵抗となる不具合（図１２（ｄ））もなくなる。
従来入金紙幣をバックアッププレート上に押し込んで収納するために使用していた紙幣収納ガイド部材２２０を廃止して構成のシンプル化と低コスト化を実現することができるようになった。
【００３２】
＜本発明の構成、作用、効果のまとめ＞
第１の本発明に係る還流式紙幣収納装置１は、紙幣搬出入部２ａと、紙幣搬出入部から長手方向に沿って搬入されてきた入金紙幣を上下方向へ積載すると共に、上向きに弾性付勢された昇降自在なバックアッププレート３と、紙幣搬出入部からの入金紙幣を一時的に保持すると共にバックアッププレート上に昇降して該バックアッププレート上の積載紙幣の上面を抑える紙幣保留ユニット１０と、バックアッププレートの上方に配置されると共に紙幣保留ユニットに設けた開口１１内を相対的に昇降し、開口を介して積載紙幣上面と接して搬出方向へ回転することにより該紙幣を紙幣搬出入部へ移行させる繰出しローラ５１と、を備え、紙幣保留ユニット１０は、開口１１を介して対向配置された一対の固定保留部材１３と、入金紙幣を各固定保留部材の上方において一時的に保持する紙幣保持姿勢と、保持していた入金紙幣を各固定保留部材上に落下させる紙幣非保持姿勢との間で変位する可動保留部材２０と、を備えていることを特徴とする。
【００３３】
本発明の特徴的な構成は、紙幣保留ユニット１０を下段側の固定保留部材１３と上段側の可動保留部材２０とからなる二段構造とした。入金時には入金紙幣は紙幣保持姿勢にある可動保留部材２０上に一旦保持されてから固定保留部材１３上に落下して保留される。
このため、スイーパを廃止することができ、従来スイーパを設けていたことに起因して発生していた種々の不具合を解消できる。即ち、先行入金紙幣を下側の固定保留部材１３上に保留する一方で、後続入金紙幣を上側の可動保留部材２０上に保持する構成としたので、先行入金紙幣と後続入金紙幣との干渉、衝突がなくなる。
【００３４】
また、紙幣保留ユニット１０上に既に積載されている一枚目の紙幣Ｐ１は後続紙幣の搬送、積載作業中にスイーパの弾性羽根によって叩かれることがないので、弾性羽根の摩擦力によって入金方向後方（図面右方）へ引き戻されて紙幣収納部前壁２ｂとの間の隙間Ｓに落ち込む積載不良を起こすことがない。
また、スイーパの存在に起因して出金時に発生していた不具合もなくなる。
また、従来入金紙幣をバックアッププレート上に押し込んで収納するために使用していた紙幣収納ガイド部材を廃止して構成のシンプル化と低コスト化を実現することができるようになった。つまり、高さ位置が大きく変動しない繰出しローラ５１に対する紙幣保留ユニットの高さ位置を大きく変化させることにより、従来の紙幣収納ガイド部材による紙幣の押し込みの役割を繰出しローラ５１によって担わせることが可能となった。
なお、紙幣収納ガイド部材を繰出しローラと併用して収納動作を実現してもよい。即ち紙幣収納ガイド部材を備えた装置構成も本発明の技術的範囲に属するものである。
紙幣搬出入部２ａは紙幣収納部２に設けられた入金紙幣の入口であり、且つ出金紙幣の出口に相当する領域である。分離ローラ対５２は正逆回転可能であり、入金時、及び出金時に紙幣の重送を防止しつつ一枚ずつ搬送する。
【００３５】
第２の本発明に係る還流式紙幣収納装置は、紙幣保留ユニット１０を昇降させる過程で可動保留部材２０を作動させる昇降作動機構３０を備え、昇降作動機構は、紙幣保留ユニットが入金待機の高さ位置にある時には可動保留部材を紙幣保持姿勢にし、可動保留部材上の入金紙幣を固定保留部材１３上に落下させる際には、紙幣保留ユニットを上昇させつつ可動保留部材を紙幣非保持姿勢に移行させることを特徴とする。
紙幣保留ユニット１０が入金待機位置にある時には可動保留部材は紙幣保持姿勢にあるため、可動保留部材は入金されてくる紙幣の幅方向両端部下面をガイドしながら安定した入金を可能とする。入金紙幣が可動保留部材上に入金完了して停止した後で紙幣保留ユニット全体を上昇させると、可動保留部材が紙幣非保持姿勢に移行して保持していた入金紙幣を固定保留部材上に落下させる。その後紙幣保留ユニットを下降させて入金待機位置に復帰させると可動保留部材も紙幣保持姿勢に復帰するので、固定保留部材上の既入金紙幣を隔離することができる。この状態で新たに入金されてくる紙幣は可動保留部材上に保持されるので、下方に位置する既入金紙幣との干渉の虞がなくなる。
【００３６】
第３の本発明に係る還流式紙幣収納装置は、昇降作動機構３０は、固定保留部材１３上で保留された状態にある入金紙幣を出金する際には、該入金紙幣上面が繰出しローラ５１と接するまで紙幣保留ユニットを上昇させることを特徴とする。
紙幣保留ユニット上に保留された紙幣は、バックアッププレート上に収納するか否か未定であり、返金（出金）される可能性もある。返金の有無が確定するまで入金紙幣は固定保留部上に保留状態となり、返金が確定した場合には紙幣保留ユニットを上昇させて保留紙幣上面と繰出しローラを接触させた上で繰出しローラを駆動して返金のための作業を実施する。返金しない場合には固定保留部材上の保留紙幣（束）をバックアッププレート上へ移載する作業を実施する。
【００３７】
第４の本発明に係る還流式紙幣収納装置は、昇降作動機構３０は、固定保留部材１３上に保留された状態にある入金紙幣をバックアッププレート３上に収納する際には、繰出しローラ下部が固定保留部材よりも相対的に下方へ位置するように紙幣保留ユニット１０を上昇させることを特徴とする。
従来の紙幣収納ガイド部材による紙幣の押し込みの役割を繰出しローラ５１によって担わせることが可能となった。
本発明に係る還流式紙幣収納装置は、各種自動販売機、入出金装置、両替機等の各種の紙幣取扱装置に適用することができる。
【符号の説明】
【００３８】
１…還流式紙幣収納装置、２…紙幣収納部、２ａ…紙幣搬出入部、２ｂ…紙幣収納部前壁、３…バックアッププレート、４…弾性部材、１０…紙幣保留ユニット、１１…開口、１３…固定保留部材、１３ａ…底片、１３ｂ…側片、１４…回転軸、２０…可動保留部材、３０…昇降作動機構、３１…ラックギヤ、３３…ピニオンギヤ、３５…従動ギヤ、５０…給紙ローラ群、５１…繰出しローラ、５２…分離ローラ対、５３…フリクションローラ、５４…ストップローラ、５５…ブラケット、６０…搬送ローラ対、６１…上搬送ローラ、６２…下搬送ローラ、１００…制御手段
【図１】
0006601726.tif 000002
【図２】
0006601726.tif 000003
【図３】
0006601726.tif 000004
【図４】
0006601726.tif 000005
【図５】
0006601726.tif 000006
【図６】
0006601726.tif 000007
【図７】
0006601726.tif 000008
【図８】
0006601726.tif 000009
【図９】
0006601726.tif 000010
【図１０】
0006601726.tif 000011
【図１１】
0006601726.tif 000012
【図１２】
0006601726.tif 000013